【手続補正書】
【提出日】平成17年8月26日(2005.8.26)
【手続補正１】
【補正対象書類名】明細書
【補正対象項目名】特許請求の範囲
【補正方法】変更
【補正の内容】
【特許請求の範囲】
【請求項１】  式（Ｉ）の化合物。
【化１】
2002516819.tif 000001
式中、
Ｗは、水素、シアノ、ニトロ、ハロゲン、アルキル、アルケニル、アルキニル、アルコキシ、ハロゲノアルキル、ハロゲノアルコキシを表すか、またはフェニル、フェノキシ、フェニルチオ、フェニルアルコキシもしくはフェニルアルキルチオを表し、これらの各々は、場合によっては置換されていて、
Ｘは、ハロゲン、アルキル、アルケニル、アルキニル、アルコキシ、アルケニルオキシ、ハロゲノアルキル、ハロゲノアルコキシ、ハロゲノアルケニルオキシ、シアノ、ニトロを表すか、またはフェニル、フェノキシ、フェニルチオ、フェニルアルキルオキシもしくはフェニルアルキルチオを表し、これらの各々は、場合によっては置換されていて、
Ｙは、水素、ハロゲン、アルキル、アルコキシ、ハロゲノアルキル、ハロゲノアルコキシ、シアノもしくはニトロを表し、
Ｚは、水素、ハロゲン、アルキル、アルコキシ、ハロゲノアルキル、ハロゲノアルコキシ、ヒドロキシル、シアノ、ニトロを表すか、またはフェノキシ、フェニルチオ、５もしくは６員のヘタリールオキシ、５もしくは６員のヘタリールチオ、フェニルアルキルオキシもしくはフェニルアルキルチオを表し、これらの各々は、場合によっては置換されていて、
Ａは、アルキルもしくは場合によっては置換されるフェニルを表し、
Ｂは、水素もしくはアルキルを表し、
Ｇは、水素（ａ）か、または基
【化２】
2002516819.tif 000002
［式中、
Ｅは、１金属イオン当量もしくはアンモニウムイオンを表し、
Ｌは、酸素もしくは硫黄を表し、
Ｍは、酸素もしくは硫黄を表す］
の１種を表し、
Ｒ1は、アルキル、アルケニル、アルコキシアルキル、アルキルチオアルキルもしくはポリアルコキシアルキルを表し、これらの各々は、場合によってはハロゲンもしくはシアノによって置換されているか、またはシクロアルキルもしくはヘテロシクリルを表し、これらの各々は、場合によってはハロゲン、アルキルもしくはアルコキシによって置換されているか、またはフェニル、フェニルアルキル、ヘタリール、フェノキシアルキルもしくはヘタリールオキシアルキルを表し、これらの各々は、場合によっては置換されていて、
Ｒ2は、アルキル、アルケニル、アルコキシアルキルもしくはポリアルコキシアルキルを表し、これらの各々は、場合によってはハロゲンもしくはシアノによって置換されているか、またはシクロアルキル、フェニルもしくはベンジルを表し、これらの各々は、場合によっては置換されていて、
Ｒ3、Ｒ4およびＲ5は、互いに独立して各々、アルキル、アルコキシ、アルキルアミノ、ジアルキルアミノ、アルキルチオ、アルケニルチオもしくはシクロアルキルチオを表し、これらの各々は、場合によってはハロゲンによって置換されているか、またはフェニル、ベンジル、フェノキシもしくはフェニルチオを表し、これらの各々は、場合によっては置換されていて、
Ｒ6およびＲ7は、互いに独立して各々、水素を表すか、アルキル、シクロアルキル、アルケニル、アルコキシ、アルコキシアルキルを表し、これらの各々は、場合によってはハロゲンもしくはシアノによって置換されているか、フェニルもしくはベンジルを表し、これらの各々は、場合によっては置換されているか、または結合するＮ原子と一緒になって、場合によっては酸素もしくは硫黄を含有し、
そして場合によっては置換されている環を形成する。
【請求項２】  請求項１記載の式（Ｉ）の化合物の製造方法であって、
（Ａ）式（Ｉ−ａ）
【化６】
2002516819.tif 000003
［式中、Ａ，Ｂ，Ｗ，Ｘ，ＹおよびＺは、各々、請求項１に定義されたとおりである］
の化合物は、式（ＩＩ）
【化７】
2002516819.tif 000004
［式中、Ａ，Ｂ，Ｗ，Ｘ，ＹおよびＺは、各々、請求項１に定義されたとおりであり、そしてＲ8は、アルキルを表す］
の化合物が、希釈剤の存在下、そして塩基の存在下で、分子内で縮合される場合に得られ、そして適当ならば、続いて、
（Ｂ）適当ならば希釈剤の存在下、そして適当ならば酸結合剤の存在下で、
α）式（ＩＩＩ）
【化８】
2002516819.tif 000005
［式中、Ｒ1は、請求項１に定義されたとおりであり、そしてＨａｌは、ハロゲンを表す］
のハロゲン化アシルと反応されるか、または
β）式（ＩＶ）
Ｒ1−ＣＯ−Ｏ−ＣＯ−Ｒ1          （ＩＶ）
［式中、Ｒ1は、先に定義されたとおりである］
のカルボン酸無水物と反応されるか；あるいは
（Ｃ）適当ならば希釈剤の存在下、そして適当ならば酸結合剤の存在下で、
式（Ｖ）
Ｒ2−Ｍ−ＣＯ−Ｃｌ                （Ｖ）
［式中、Ｒ2およびＭは、各々、請求項１に定義されたとおりである］
のクロロギ酸エステルもしくはクロロギ酸チオエステルと反応されるか；あるいは
（Ｄ）適当ならば希釈剤の存在下、そして適当ならば酸結合剤の存在下で、
式（ＶＩ）
【化９】
2002516819.tif 000006
［式中、ＭおよびＲ2は、各々、先に定義されたとおりである］
のクロロモノチオギ酸エステルもしくはクロロジチオギ酸エステルと反応されるか；あるいは
（Ｅ）適当ならば希釈剤の存在下、そして適当ならば酸結合剤の存在下で、
式（ＶＩＩ）
Ｒ3−ＳＯ2−Ｃｌ                （ＶＩＩ）
［式中、Ｒ3は、請求項１に定義されたとおりである］
の塩化スルホニルと反応されるか；あるいは
（Ｆ）適当ならば希釈剤の存在下、そして適当ならば酸結合剤の存在下で、
式（ＶＩＩＩ）
【化１０】
2002516819.tif 000007
［式中、Ｌ，Ｒ4およびＲ5は、各々、請求項１に定義されたとおりであり、そしてＨａｌは、ハロゲンを表す］
のリン化合物と反応されるか；あるいは
（Ｇ）適当ならば希釈剤の存在下で、
式（ＩＸ）もしくは（Ｘ）
【化１１】
2002516819.tif 000008
［式中、Ｍｅは、一価もしくは二価金属を表し、ｔは、数１もしくは２を表し、そしてＲ9，Ｒ10，Ｒ11は、互いに独立して各々、水素もしくはアルキルを表す］の金属化合物もしくはアミンと反応されるか；あるいは
（Ｈα）適当ならば希釈剤の存在下、そして適当ならば触媒の存在下で、
式（ＸＩ）
Ｒ6−Ｎ＝Ｃ＝Ｌ              （ＸＩ）
［式中、Ｒ6およびＬは、各々、請求項１に定義されたとおりである］
のイソシアネートもしくはイソチオシアネートと反応されるか、または
β）適当ならば希釈剤の存在下、そして適当ならば酸結合剤の存在下で、
式（ＸＩＩ）
【化１２】
2002516819.tif 000009
［式中、Ｌ，Ｒ6およびＲ7は、各々、請求項１に定義されたとおりである］
の塩化カルバモイルもしくは塩化チオカルバモイルと反応される、
ことを特徴とする方法。
【請求項３】  式（ＩＩ）
【化１３】
2002516819.tif 000010
［式中、Ａ，Ｂ，Ｗ，Ｘ，ＹおよびＺは、各々、請求項１に定義されたとおりであり、そしてＲ8はアルキルを表す］
の化合物。
【請求項４】  式（ＸＩＩＩ）
【化１４】
2002516819.tif 000011
［式中、ＡおよびＢは、各々、請求項１に定義されたとおりであり、そしてＲ8はアルキルを表す］
の化合物。
【請求項５】  式（ＸＶ）
【化１５】
2002516819.tif 000012
［式中、Ａ，Ｂ，Ｗ，Ｘ，ＹおよびＺは、各々、請求項１に定義されたとおりである］
の化合物。
【請求項６】  式（ＸＶＩ）
【化１６】
2002516819.tif 000013
［式中、ＡおよびＢは、各々、請求項１に定義されたとおりである］
の化合物。
【請求項７】  式（ＸＸＩＩ）
【化１７】
2002516819.tif 000014
［式中、ＡおよびＢは、各々、請求項１に定義されたとおりである］
の化合物。
【請求項８】  式（ＸＸＩＩＩ）
【化１８】
2002516819.tif 000015
［式中、Ａ，Ｂ，Ｘ，Ｙ，ＺおよびＷは、各々、請求項１に定義されたとおりである］
の化合物。
【請求項９】  式（ＸＶＩＩ）
【化１９】
2002516819.tif 000016
［式中、Ｘ1は、フッ素、塩素もしくは臭素（特に塩素もしくは臭素）を表し、Ｙ1はエチルを表し、そしてＷ1は、水素、フッ素、塩素もしくは臭素（特に水素、塩素もしくは臭素）を表す］
の化合物。
【請求項１０】  式（ＸＶＩＩＩ）
【化２０】
2002516819.tif 000017
［式中、Ｘ1、Ｙ1およびＷ1は、各々、請求項９に定義されたとおりであり、そしてＲ8は、アルキル（特にＣ1−Ｃ6−アルキル、具体的にはメチルもしくはエチル）を表す］
の化合物。
【請求項１１】  有害生物防除剤もしくは除草剤が、請求項１記載の式（Ｉ）の化合物を含有することを特徴とする、有害生物防除剤もしくは除草剤。
【請求項１２】  請求項１記載の式（Ｉ）の化合物が、有害生物もしくは雑草および／またはそれらの生息場所に作用させられることを特徴とする、有害生物および雑草を防除する方法。